(57)【要約】【課題】  遊技球が衝接してもその衝撃を和らげて透光部が損傷する不都合を防ぎ、また、遊技球が衝接することを利用して発光体からの光の照射状態に変化を持たせて遊技の興趣を高めた遊技機を提供する。【解決手段】  上側区画部材１５は、裏面側に凹室状の収納部を形成したベース部材２５と、該ベース部材２５の遊技領域側に形成されたガイド面３２と、緩衝部材３３と、ベース部材２５の収納部に収納された発光ユニット２７と、収納部を閉塞するカバー部材とを備え、発光ユニット２７は、ガイド面３２から遊技領域に臨ませた状態でベース部材２５に遊嵌される透光部材３６と、該透光部材３６の遊技領域とは反対側の面に対向する位置に配設された発光体と、該発光体を実装する発光基板とにより構成され、透光部材３６にレンズ部を形成し、上側区画部材１５により案内された遊技球を衝接させることで、透光部材３６を可動させる。【選択図】  図２
2005348945.tif 000002
【特許請求の範囲】
【請求項１】
遊技盤の表面に遊技領域を区画する区画部材と、遊技球を発射するための発射装置と、前記区画部材と共に遊技領域を区画し、発射装置から発射された遊技球を誘導するガイドレールと、を備え、該ガイドレールにより誘導された遊技球を区画部材により遊技領域内に案内する遊技機において、
前記区画部材は、遊技領域の上側を区画する上側区画部材を含み、
該上側区画部材は、
裏面側に凹室状の収納部を形成したベース部材と、
該ベース部材の遊技領域側に形成されたガイド面と、
該ガイド面のガイドレールとは反対側の端部に設けられた緩衝部材と、
前記ベース部材の収納部のうち緩衝部材よりもガイドレール側に収納された発光ユニットと、
前記発光ユニットを収納した収納部をベース部材の裏面側から閉塞するカバー部材と、を備え、
前記発光ユニットは、
前記ガイド面から遊技領域に臨ませた状態でベース部材に遊嵌される透光部材と、
該透光部材の遊技領域とは反対側の面に対向する位置に配設された発光体と、
該発光体を実装する発光基板と、により構成され、
前記透光部材にレンズ部を形成し、
前記上側区画部材により案内された遊技球を衝接させることで、前記透光部材を可動させることを特徴とする遊技機。
【請求項２】
前記レンズ部は、遊技領域側に膨出した凸レンズであることを特徴とする請求項１に記載の遊技機。
【請求項３】
前記凸レンズの頂部と遊技盤の表面との距離を遊技球の半径と略同一となるように設定したことを特徴とする請求項２に記載の遊技機。
【請求項４】
前記透光部材の遊技領域側に、先端部が前記ガイド面と略同一面上に配置された突出壁を形成したことを特徴とする請求項１または請求項２に記載の遊技機。
【請求項５】
前記ガイド面には、遊技球の直径未満の幅を有するガイド溝を当該ガイド面の長手方向に沿って形成し、前記ガイド溝により遊技球を案内することを特徴とする請求項１から請求項３のいずれかに記載の遊技機。
【請求項６】
遊技盤の表面に遊技領域を区画する区画部材と、遊技球を発射するための発射装置と、前記区画部材と共に遊技領域を区画し、発射装置から発射された遊技球を誘導するガイドレールと、を備え、該ガイドレールにより誘導された遊技球を区画部材により遊技領域内に案内する遊技機において、
前記区画部材は、遊技領域の上側を区画する上側区画部材を含み、
該上側区画部材は、
裏面側に凹室状の収納部を形成したベース部材と、
該ベース部材の遊技領域側に形成されたガイド面と、
該ガイド面のガイドレールとは反対側の端部に備えられた緩衝部材と、
前記ベース部材の収納部のうち緩衝部材よりもガイドレール側に収納された発光ユニットと、
前記発光ユニットを収納した収納部をベース部材の裏面側から閉塞するカバー部材と、を備え、
前記発光ユニットは、
前記ガイド面から遊技領域に臨ませた状態でベース部材に遊嵌される透光部材と、
該透光部材の遊技領域とは反対側の面に対向する位置に配設された発光体と、
該発光体を実装する発光基板と、により構成され、
前記透光部材は、
その遊技領域側の表面を前記ガイド面と略同一面上に位置する状態で配設し、
当該透光部材の緩衝部材側端部を軸着して収納部側へ回動可能とし、緩衝部材側端部とは反対側の端部を付勢部材により遊技領域へ向けて付勢し、
前記上側区画部材により案内された遊技球を衝接させることで、前記透光部材を可動させることを特徴とする遊技機。
【発明の詳細な説明】
【技術分野】
【０００１】
本発明は、遊技盤上の遊技領域に遊技球を流下させて遊技を行うパチンコ遊技機等の遊技機に関する。
【背景技術】
【０００２】
従来の遊技機、例えばパチンコ遊技機においては、遊技盤上に遊技領域と、遊技領域の外側の非遊技領域とを区画部材により区画し、該区画部材の一部を開口または切り欠いて透光部を設け、その透光部に対向する状態で非遊技領域に発光部を設け、発光部からの光を、透光部を通して遊技領域内に照射しているものがある（例えば、特許文献１参照）。
【特許文献１】特開２００３−３１０８７５号公報
【発明の開示】
【発明が解決しようとする課題】
【０００３】
しかしながら、上記のパチンコ遊技機においては、発射されて勢いのある遊技球が透光部（すなわち開口縁や切欠端部）に衝突してしまい、区画部材の一部を破損してしまう可能性が高かった。また、透光部を通る光が遊技領域のうち予め定められた箇所や限定された方向を照射することしかできなかった。
【０００４】
そこで、本発明は、上記の事情に鑑みてなされたものであり、その目的は、遊技球が衝接してもその衝撃を和らげて透光部が損傷する不都合を防ぎ、また、遊技球が衝接することを利用して発光体からの光の照射状態に変化を持たせて遊技の興趣を高めた遊技機を提供することを目的とする。
【課題を解決するための手段】
【０００５】
本発明は、上記目的を達成するために提案されたものであり、請求項１に記載のものは、遊技盤の表面に遊技領域を区画する区画部材と、遊技球を発射するための発射装置と、前記区画部材と共に遊技領域を区画し、発射装置から発射された遊技球を誘導するガイドレールと、を備え、該ガイドレールにより誘導された遊技球を区画部材により遊技領域内に案内する遊技機において、
前記区画部材は、遊技領域の上側を区画する上側区画部材を含み、
該上側区画部材は、
裏面側に凹室状の収納部を形成したベース部材と、
該ベース部材の遊技領域側に形成されたガイド面と、
該ガイド面のガイドレールとは反対側の端部に設けられた緩衝部材と、
前記ベース部材の収納部のうち緩衝部材よりもガイドレール側に収納された発光ユニットと、
前記発光ユニットを収納した収納部をベース部材の裏面側から閉塞するカバー部材と、を備え、
前記発光ユニットは、
前記ガイド面から遊技領域に臨ませた状態でベース部材に遊嵌される透光部材と、
該透光部材の遊技領域とは反対側の面に対向する位置に配設された発光体と、
該発光体を実装する発光基板と、により構成され、
前記透光部材にレンズ部を形成し、
前記上側区画部材により案内された遊技球を衝接させることで、前記透光部材を可動させることを特徴とする遊技機である。
【０００６】
請求項２に記載のものは、前記レンズ部は、遊技領域側に膨出した凸レンズであることを特徴とする請求項１に記載の遊技機である。
【０００７】
請求項３に記載のものは、前記凸レンズの頂部と遊技盤の表面との距離を遊技球の半径と略同一となるように設定したことを特徴とする請求項２に記載の遊技機である。
【０００８】
請求項４に記載のものは、前記透光部材の遊技領域側に、先端部が前記ガイド面と略同一面上に配置された突出壁を形成したことを特徴とする請求項１または請求項２に記載の遊技機である。
【０００９】
請求項５に記載のものは、前記ガイド面には、遊技球の直径未満の幅を有するガイド溝を当該ガイド面の長手方向に沿って形成し、前記ガイド溝により遊技球を案内することを特徴とする請求項１から請求項３のいずれかに記載の遊技機である。
【００１０】
請求項６に記載のものは、遊技盤の表面に遊技領域を区画する区画部材と、遊技球を発射するための発射装置と、前記区画部材と共に遊技領域を区画し、発射装置から発射された遊技球を誘導するガイドレールと、を備え、該ガイドレールにより誘導された遊技球を区画部材により遊技領域内に案内する遊技機において、
前記区画部材は、遊技領域の上側を区画する上側区画部材を含み、
該上側区画部材は、
裏面側に凹室状の収納部を形成したベース部材と、
該ベース部材の遊技領域側に形成されたガイド面と、
該ガイド面のガイドレールとは反対側の端部に備えられた緩衝部材と、
前記ベース部材の収納部のうち緩衝部材よりもガイドレール側に収納された発光ユニットと、
前記発光ユニットを収納した収納部をベース部材の裏面側から閉塞するカバー部材と、を備え、
前記発光ユニットは、
前記ガイド面から遊技領域に臨ませた状態でベース部材に遊嵌される透光部材と、
該透光部材の遊技領域とは反対側の面に対向する位置に配設された発光体と、
該発光体を実装する発光基板と、により構成され、
前記透光部材は、
その遊技領域側の表面を前記ガイド面と略同一面上に位置する状態で配設し、
当該透光部材の緩衝部材側端部を軸着して収納部側へ回動可能とし、緩衝部材側端部とは反対側の端部を付勢部材により遊技領域へ向けて付勢し、
前記上側区画部材により案内された遊技球を衝接させることで、前記透光部材を可動させることを特徴とする遊技機である。
【発明の効果】
【００１１】
本発明によれば、以下のような優れた効果を奏する。
請求項１に記載の発明によれば、遊技盤の表面に遊技領域を区画する区画部材と、遊技球を発射するための発射装置と、区画部材と共に遊技領域を区画し、発射装置から発射された遊技球を誘導するガイドレールとを備え、該ガイドレールにより誘導された遊技球を区画部材により遊技領域内に案内する遊技機において、区画部材は、遊技領域の上側を区画する上側区画部材を含み、該上側区画部材は、裏面側に凹室状の収納部を形成したベース部材と、該ベース部材の遊技領域側に形成されたガイド面と、該ガイド面のガイドレールとは反対側の端部に設けられた緩衝部材と、ベース部材の収納部のうち緩衝部材よりもガイドレール側に収納された発光ユニットと、該発光ユニットを収納した収納部をベース部材の裏面側から閉塞するカバー部材とを備え、発光ユニットは、ガイド面から遊技領域に臨ませた状態でベース部材に遊嵌される透光部材と、該透光部材の遊技領域とは反対側の面に対向する位置に配設された発光体と、該発光体を実装する発光基板とにより構成され、透光部材にレンズ部を形成し、上側区画部材により案内された遊技球を衝接させることで、透光部材を可動させるので、発光体から遊技領域に照射される光に動きを与えることができ、これにより遊技中の装飾効果を向上させることができ、遊技の興趣を高めることができる。しかも、遊技球から受ける衝撃を和らげて透光部材が損傷する不具合を防ぐことができる。
【００１２】
請求項２に記載の発明によれば、レンズ部は、遊技領域側に膨出した凸レンズであるので、発光体からの光を集光することができ、装飾効果を高め易い。また、積極的にレンズ部の凸面に遊技球を衝接させて透光部材を可動し易くすることができる。したがって、発光ユニットからの光の向きを小刻みに揺らして遊技領域を光で華やかに装飾することができ、遊技の興趣を一層高めることができる。
【００１３】
請求項３に記載の発明によれば、凸レンズの頂部と遊技盤の表面との距離を遊技球の半径と略同一となるように設定したので、遊技盤の表面に沿いながら区画部材のガイド面に案内される遊技球を凸レンズに衝接し易くすることができ、透光部材を更に可動し易くすることができる。したがって、発光ユニットからの光の向きを一層小刻みに揺らして光を散光することができ、より趣向性の高い光の演出をすることができる。
【００１４】
請求項４に記載の発明によれば、透光部材の遊技領域側に、先端部が前記ガイド面と略同一面上に配置された突出壁を形成したので、ガイド面により案内される遊技球を突出壁に衝接させて透光部材を振動させ、発光体からの光に動きを与えることができ、しかも突出壁に衝接した遊技球が飛翔方向を急激に変え難い。したがって、遊技者が予想する飛翔軌跡から遊技球が大きく外れ難くなり、遊技の興趣が減衰してしまうことを抑えることができる。また、突出壁の先端部や側面から光を散光させることができ、趣向性の高い光の演出を行うことができる。そして、透光部材を突出壁により補強することができ、遊技球が繰り返し衝接しても損傷し難くすることができる。
【００１５】
請求項５に記載の発明によれば、ガイド面には、遊技球の直径未満の幅を有するガイド溝を当該ガイド面の長手方向に沿って形成し、ガイド溝により遊技球を案内するので、遊技球とガイド面との接触箇所を増やすことができ、発射装置から発射されて飛翔する遊技球の勢いを、ガイド溝を形成しない場合よりも弱めることができる。したがって、遊技球が透光部材に衝接しても、透光部材を破損し難くすることができる。このことから、趣向性の高い装飾効果を維持し易い。
【００１６】
請求項６に記載の発明によれば、透光部材は、その遊技領域側の表面をガイド面と略同一面上に位置する状態で配設し、当該透光部材の緩衝部材側端部を軸着して収納部側へ回動可能とし、緩衝部材側端部とは反対側の端部を付勢部材により遊技領域へ向けて付勢し、上側区画部材により案内された遊技球を衝接させることで、透光部材を可動させるので、発光体から遊技領域に照射される光を、透光部材の緩衝部材側端部を中心に回動させて遊技中の装飾効果を向上させることができ、遊技の興趣を高めることができる。そして、遊技球が衝接する度に光の散光の方向がランダムに変わることがなく、安定した装飾効果を得ることができる。また、遊技球から受ける衝撃を和らげて透光部材が損傷する不具合を防ぐことができる。
【発明を実施するための最良の形態】
【００１７】
以下、代表的な遊技機であるパチンコ遊技機を例に挙げて、本発明を実施するための最良の形態を図面に基づき説明する。図１はパチンコ遊技機の遊技盤１の正面図である。
【００１８】
遊技盤１は、図１に示すように、合板やプラスチック等からなる遊技盤本体２の表面に遊技領域３を略円形に区画するための区画部材４を、遊技盤本体２の各辺に沿う状態で止着している。そして、遊技領域３の略中央部に、可変表示装置を前方に臨ませたセンターケース５を配設し、該センターケース５の下方には、可変表示装置を始動するための始動入賞口６を、始動入賞口６の左右両側方に普通図柄始動ゲート７を、始動入賞口６および普通図柄始動ゲート７の下方には大入賞口８をそれぞれ配置している。また、始動入賞口６、普通図柄始動ゲート７、大入賞口８等の入賞具やセンターケース５等の取付部分を除いた遊技領域３内に障害釘（図示せず）を植設してある。さらに、遊技盤１は、この他に、遊技球の流下方向を変える風車９、発光により各種の装飾表示を行うランプ・ＬＥＤ１０、及び入賞せずに流下した遊技球を回収するアウト口１１を設けている。
【００１９】
次に区画部材４について説明する。
区画部材４は、遊技盤１の下方の発射装置１３から発射された遊技球を遊技領域３へ案内し、遊技領域３の一側（図中左側）を区画する略Ｃ字状の発射球案内ユニット１４と、該発射球案内ユニット１４の一端（図中右上端）に隣接した状態で止着し、遊技領域３の右上側を区画する上側区画部材（第１区画部材）１５と、発射球案内ユニット１４の他端（図中右下端）に隣接した状態で止着するとともに上側区画部材１５に隣接した状態で止着し、遊技領域３の右下側を区画する下側区画部材（第２区画部材）１６とに３分割して構成されている。
【００２０】
発射球案内ユニット１４は、遊技領域３の遊技球進入側（図中左側）を区画する部材であり、内外一対の円弧状のガイドレール１７を備えて、該ガイドレール１７により遊技領域３の一側（図中左側）を円弧状に区画している。また、一対のガイドレール１７は、離間した状態で配置されて遊技球誘導路１８を遊技盤１の下側から上側へ向けて形成し、発射装置１３から発射された遊技球を遊技領域３の上側へ案内するように構成されている。
【００２１】
また、下側区画部材１６は、遊技領域３側の一部に円弧状の下側区画壁２０を形成し、該下側区画壁２０の一端（図中上端）を上側区画部材１５の下端に連続する状態で配置されている。また、下側区画壁２０の他端（図中左端）に発射球案内ユニット１４の下端を隣り合わせるとともに、アウト口周縁部２１を一体的に成形し、このアウト口周縁部２１を遊技盤本体２の下側に形成された切欠部の前方に位置させることで、遊技盤１上にアウト口１１を構成している。
【００２２】
次に、上側区画部材１５について説明する。
上側区画部材１５は、図２から図４に示すように、裏面側に凹室状の収納部２４を形成した略逆直角三角形状のベース部材２５と、該ベース部材２５の遊技領域３側に後方の遊技盤１へ向けて延設された円弧状の上側区画壁２６と、ベース部材２５の収納部２４内に収納された複数の発光ユニット２７と、該発光ユニット２７が収納された収納部２４をベース部材２５の裏面側から閉塞するカバー部材２８とから構成されている。また、遊技盤本体２の側部（図中右側部）に位置する部分に指先を引っ掛けられる程度の窪部２９を設けることにより遊技盤１を遊技盤収納部（図示せず）から着脱する際のハンドル部を形成し、さらに、パチンコ遊技機の遊技盤収納部のクランプ（図示せず）を当接する遊技盤取付部３０を備えている。
【００２３】
上側区画壁２６は、斜辺相当部分の中間から発射球案内ユニット１４側（ガイドレール１７側）にガイド面３２を形成して、発射球案内ユニット１４から遊技領域３へ飛入した遊技球が遊技領域３の上縁に沿って案内されるように構成されている。そして、ガイド面３２の下端部（ガイドレール１７とは反対側の端部）にはゴム製の緩衝部材３３を備えて、ガイド面３２に案内された遊技球がこの緩衝部材３３に衝突して下方の遊技領域３へ向けて流下するように構成されている。また、上側区画壁２６の延設方向の中間には、発光ユニット２７を臨ませる開口窓３４を、緩衝部材３３よりも上側（ガイド面３２を形成する部分）に２箇所、緩衝部材３３よりも下側に１箇所開設している。すなわち、本実施形態の上側区画部材１５は、発光ユニット２７をベース部材２５の収納部２４のうち緩衝部材３３よりもガイドレール１７側に２つ、緩衝部材３３を挟んでガイドレール１７とは反対側に１つ備えている。
【００２４】
発光ユニット２７は、遊技領域３の一部（特に上側区画壁２６およびガイド面３２の周辺部）やガイド面３２に案内される遊技球に光を照射するユニットであり、透明樹脂製の透光部材３６と、ＬＥＤ等の発光体３７と、該発光体３７を実装する発光基板３８とから構成されている。透光部材３６は、図５に示すように、ガイド面３２の長手方向へ延設された短冊形状を呈し、当該透光部材３６の表裏両面には、複数の凸レンズからなるレンズ部３９を、当該透光部材３６の長手方向へ一列に並んだ状態で遊技領域３側または収納部２４側に膨出させている。そして、延設方向の両端部をベース部材２５、詳しくは上側区画壁２６の開口窓３４の両側縁よりも収納部２４寄りに設けられた透光部材保持部４０に遊嵌し、ガイド面３２の開口窓３４の奥側（収納部２４側）からレンズ部３９を下方の遊技領域３へ臨ませた状態で上側区画壁２６の厚さ方向、長手方向および幅方向等へ僅かに可動（揺動、振動）できるように取り付けられている（図３参照）。また、図６に示すように、レンズ部３９の頂部と遊技盤１の表面との距離を遊技球の半径に略同一となるように設定し、ガイド面３２に沿って移動中の遊技球が透光部材３６に衝接し易いように構成されている。なお、透光部材３６は、図５（ｂ）に示すように、遊技領域３側（図中下側）の面にのみレンズ部３９を形成してもよいし、あるいは収納部２４側のみにレンズ部３９を形成してもよい。
【００２５】
発光基板３８は、収納部２４内に形成された基板保持部４２に保持され、透光部材３６と略平行な状態で配置されている。収納部２４内に収納された発光基板３８は、その表面に実装した発光体３７を透光部材３６のうち遊技領域３とは反対側の面に対向する位置に配設し、収納部２４側に設けられたレンズ部３９に対向させている。発光体３７は、対向するレンズ部３９の形成数（収納部２４側のレンズ部３９の形成数）に対応して複数設けられている。例えば、図３に示すように、透光部材３６の収納部２４側に３つのレンズ部３９が形成されている場合、発光基板３８は、レンズ部３９に対応する発光体３７を３つ設けている。さらに、発光体３７は、透光部材３６のレンズ部３９の頂部から離間して設けられ、当該発光体３７からの熱が直接レンズ部３９へ伝導することを防いで透光部材３６が熱変形し難いように構成されている。なお、レンズ部３９が透光部材３６の遊技領域３側にのみ形成されている場合では、発光体３７を遊技領域３側のレンズ部３９に対応する位置（例えば、遊技領域３上の投光予定箇所とレンズ部３９とを結ぶ光軸上）に配置すると好適である。
【００２６】
なお、発光基板３８は、その前端部（ベース部材２５の前側に位置する端部）から嵌合突起４３を突出し、収納部２４の底部に貫通したスリット状の嵌合孔４４にこの嵌合突起４３を嵌合してベース部材２５に位置決めされている（図２および図６参照）。したがって、ベース部材２５の前方から嵌合孔４４を観察することで、発光基板３８が正しい位置（発光体３７が設計どおりに遊技領域３を照射できる位置）に取り付けられているか否かを簡単に確認することができる。
【００２７】
また、カバー部材２８は、図４に示すように、遊技領域３側の円弧状端部から位置決め突起４６を突設し、該位置決め突起４６を開口窓３４の遊技盤１側に嵌合し、この嵌合状態のまま止着孔４７にネジ等の止着部材４８を挿入して収納部２４内の取付ボス４９に止着することでベース部材２５の収納部２４を裏側から塞いでいる。なお、ベース部材２５に取り付けられた状態のカバー部材２８は、基板保持部４２に保持された発光基板３８の後端部に当接し、発光体３７の位置が前後にずれること、ひいては発光体３７が振動により損傷する不具合を防いでいる。
【００２８】
上記のような構成の発光ユニット２７を上側区画部材１５に備え、ガイドレール１７から遊技領域３へ誘導された遊技球がガイド面３２に案内されて発光ユニット２７の下方に到達すると、この遊技球は、図２および図６に示すように、レンズ部３９に衝接して、透光部材３６を振動（可動）させる。このとき発光体３７が点灯状態であれば、発光体３７から遊技領域３に照射される光に動きを与えることができ、遊技中の装飾効果を向上させることができ、遊技の興趣を高めることができる。しかも、遊技球から受ける衝撃を和らげて透光部材３６が損傷する不具合を防ぐことができる。そして、レンズ部３９は、開口窓３４から遊技領域３側（すなわち遊技球が通過する側）へ向けて凸面を膨出しているので、積極的に凸面に遊技球を衝接させて透光部材３６を振動し易い。したがって、発光ユニット２７(具体的には発光体３７）からの光の向きを小刻みに揺らして遊技領域３を光で華やかに装飾することができ、遊技の興趣を一層高めることができる。また、凸面（凸レンズ）の頂部が遊技盤１の表面から遊技球の半径と略同じ距離だけ離れた位置に配置されているので、遊技盤１の表面に沿いながら区画部材４のガイド面３２に案内される遊技球を凸レンズに衝接し易くすることができ、透光部材３６を更に振動し易くすることができる。したがって、発光ユニット２７からの光の向きを一層小刻みに揺らすことができ、より趣向性の高い光の演出をすることができる。さらに、凸レンズは、発光体３７からの光を集光するので装飾効果を高め易い。
【００２９】
ところで、透光部材３６は、図７に示すように、遊技領域３側の面に突出壁５１をレンズ部３９の代わりに突出させてもよい。この突出壁５１は、ガイド面３２の長手方向に沿う状態で突出され、当該突出壁５１の先端部をガイド面３２と略同一面上に配置して、端面をガイド面３２と略同じ曲率を有する曲面で構成している。このような突出壁５１を備えた透光部材３６をガイド面３２から遊技領域３に臨ませて、遊技球をガイド面３２により発光ユニット２７を臨ませた場所まで案内すると、この遊技球は突出壁５１の先端部に衝接し、透光部材３６を振動させることができる。したがって、発光体３７からの光に動きを与えることができ、遊技中の装飾効果を向上させることができる。しかも、突出壁５１に衝接した遊技球が飛翔方向を急激に変え難い。したがって、遊技者が予想する飛翔軌跡から遊技球が大きく外れ難くなり、遊技の興趣が減衰してしまうことを抑えることができる。また、突出壁５１の先端部や側面から光を散光させることができ、趣向性の高い光の演出を行うことができる。そして、透光部材３６を突出壁５１により補強することができ、遊技球が繰り返し衝接しても透光部材３６を損傷し難くすることができる。
【００３０】
なお、突出壁５１の先端部と遊技盤１の表面との距離を遊技球の半径と略同一になるように設定すると、遊技球が衝接し易く、透光部材３６が振動して光を動かし易くなるので好適である。また、図７に示す透光部材３６では、突出壁５１を１条（１本）のみ設けたが、複数条の突出壁をガイド面３２の長手方向に沿って平行に設けてもよい。
【００３１】
ところで、上記した実施形態においては、ガイド面３２に案内された遊技球をそのまま衝接していたが、本発明はこれに限定されず、遊技球を減速させてから透光部材３６に衝接するようにしてもよい。例えば、図８および図９に示す第２実施形態の上側区画部材１５は、基本的には上記実施形態と同じであるが、ガイド面３２の構成が異なる。すなわち、第２実施形態の上側区画部材１５は、ガイド面３２にガイド溝５３を、ガイド面３２の長手方向に沿って形成している。このガイド溝５３は、ガイド面３２のガイドレール１７側端部（遊技球案内方向の始端。図８中左側）から緩衝部材３３側端部（遊技球案内方向の終端。図８中右側）に亘って形成され、遊技球の直径未満の幅を有するとともに、当該ガイド溝５３の中心と遊技盤１の表面との距離が遊技球の半径と略同一になるように設定している。また、上側区画部材１５は、ガイド溝５３の中間部分を、透光部材３６を臨ませる開口窓３４として機能させ、該開口窓３４の奧側（ベース部材２５の収納部２４側）に透光部材保持部（図示せず）を設け、該透光部材保持部に透光部材３６を遊嵌している。透光部材保持部に遊嵌（保持）された透光部材３６は、レンズ部３９の頂部を、ガイド溝５３の幅中心に配置するとともに、ガイド溝５３の深さ方向（上側区画壁２６の厚さ方向）に対しては遊技球の一部が僅かに衝接できる程度に浅い位置に配置している（図９（ａ）参照）。
【００３２】
このような構成のガイド溝５３および透光部材３６を上側区画部材１５に備え、ガイドレール１７から遊技球をガイド面３２へ誘導すると、この遊技球は、図９（ａ）に示すように、ガイド溝５３に上部を嵌め込んだ状態、言い換えると、ガイド溝５３の両側縁に当該遊技球の表面を接触した状態でガイド面３２およびガイド溝５３に沿って案内される。すなわち、遊技球は、ガイド溝５３を形成していないガイド面３２に案内される場合に比べて、ガイド面３２との接触箇所を増やすことができる。そして、ガイド溝５３によって案内される遊技球は、ガイド溝５３の両側縁との摩擦により次第に飛翔する勢いが弱まり、この勢いが弱まった状態で透光部材３６に衝接する。したがって、遊技球が透光部材３６に衝接しても透光部材３６を破損し難くすることができ、趣向性の高い装飾効果を維持し易い。
【００３３】
なお、図９（ｂ）に示すように、透光部材３６を収納部２４側へ更に寄せて、レンズ部３９が遊技球に接触しない程度の位置に配置し、ガイド溝５３に遊技球が通る際の振動により遊嵌状態の透光部材３６を振動させれば、遊技球の衝接によりレンズ部３９および透光部材３６が損傷する虞がないし、装飾効果の高い光の演出も実現できるので好適である。また、上記実施形態では、ガイド溝５３をガイド面３２の全長に亘って形成したが、本発明はこれに限定されず、ガイド面３２の一部に形成してもよい。
【００３４】
ところで、上記実施形態では、透光部材３６を遊嵌することでその面方向へ振動（可動）できるようにしたが、本発明はこれに限定されず、透光部材３６を軸着して回動できるようにしてもよい。例えば、図１０に示す第３実施形態における上側区画部材１５は、基本的には上記実施形態と同じであるが、透光部材３６の構成が異なる。すなわち、第３実施形態の透光部材３６は、緩衝部材３３側の端部（遊技球案内方向の下流側に位置する端部。図中左端部）を軸着端部５５とし、この軸着端部５５を開口窓３４のうち緩衝部材３３側の縁部周辺に軸着し、軸着端部５５とは反対側の端部である自由端部（遊技球案内方向の上流側に位置する端部。図中右端部）５６には、当該透光部材３６を遊技領域３側へ付勢するコイルばね等の付勢部材５７を備えている。また、遊技領域３側の表面をガイド面３２と略同じ曲率を有する曲面で構成し、遊技球が衝接していない常態（図１０（ａ）参照）においては、自由端部５６の周辺を、ガイド面３２の一部を収納部２４側へ向けて屈曲した回動規制部５８に当接して、この遊技領域３側の表面をガイド面３２と略同一面上に位置する状態で配設している。なお、回動規制部５８は、透光部材３６（詳しくは透光部材３６の表面）がガイド面３２よりも遊技領域３側に移動することを規制する機能も備えている。また、付勢部材５７は、収納部２４側に回動した透光部材３６が発光体３７に近づくと付勢力を強めて、透光部材３６と発光体３７とが衝突する不都合を防止する機能も備えている。
【００３５】
このような透光部材３６を上側区画部材１５に備え、ガイド面３２により案内された遊技球が発光ユニット２７の下方に到達して透光部材３６に衝接すると、透光部材３６は、図１０（ｂ）に示すように、遊技球が衝接した衝撃力により軸着端部５５を中心に収納部２４側へ回動（可動）する。このとき発光体３７が点灯状態であれば、発光体３７から遊技領域３へ照射される光を、透光部材３６の軸着端部５５を中心にして回動させて遊技中の装飾効果を向上させることができる。また、衝接した遊技球は、回動した透光部材３６から反発力を受け難く、飛翔方向を大きく変えてしまうことがない。したがって、例えば、遊技者が遊技球を意図的に緩衝部材３３側の遊技領域３へ打ち込んで楽しもうとする際に遊技球がガイド面３２途中で弾かれることがなく、遊技の興趣が減衰することを抑えることができる。さらに、遊技球から受ける衝撃を和らげて透光部材３６が損傷する不具合を防ぐことができる。
【００３６】
そして、衝接した遊技球が透光部材３６から離れると、透光部材３６は、付勢部材５７から受ける付勢力により回動して元に戻り、遊技領域３側の表面をガイド面３２と略同一面上となる位置に再び配置する。したがって、別の遊技球が透光部材３６に衝接すれば、透光部材３６は再び略同じ動きで、すなわち軸着端部５５を中心にして光を回動することができる。このように、遊技球が衝接する度に光が動く方向が前後方向や左右方向、あるいは上下方向というようにランダムに変わることがなく、安定した装飾効果を得ることができる。
【００３７】
なお、透光部材３６は、図１１に示すように、中間部分が収納部２４側へ屈曲可能なものであってもよい。具体的に説明すると、図１１に示す第３実施形態の変形例の透光部材３６は、第１透光片６１と第２透光片６２とを連結して構成されている。第１透光片６１は、一端（図中左端）を開口窓３４のうち緩衝部材３３側（図中左側）の縁部周辺に回動可能な状態で軸着し、他端（図中右端）には、当該第１透光片６１を遊技領域３側へ付勢するコイルばね等の付勢部材５７を備えている。また、第２透光片６２は、一端（図中右端）を開口窓３４のうちガイドレール１７側（図中右側）の縁部周辺に回動可能な状態で軸着し、他端（図中左端）には、長孔状の軸受部６４を開設し、第１透光片６１の他端に設けられた軸部６５を遊嵌して第１透光片６１を連結している。さらに、第２透光片６２の他端には、第１透光片６１に当接可能な回動ストッパー６６が設けられている。遊技球が衝接していない常態では、第１透光片６１と第２透光片６２との連結部分が下方へ付勢され、回動ストッパー６６が第１透光片６１の収納部２４側から当接している。そして、第１透光片６１と第２透光片６２とが互いにつかえて、或いはストッパー（図示せず）に当接し、各透光部材３６の遊技領域３側の表面がガイド面３２と略同一面上に位置する状態に保持され、透光部材３６が遊技領域３へ張り出さないように配置される。なお、各透光部材３６には、発光体３７に対向する位置に凸レンズ（レンズ部３９）が設けられている。
【００３８】
このような屈曲（所謂中折れ）可能な透光部材３６を上側区画部材１５に備えて、ガイド面３２により案内された遊技球が発光ユニット２７の下方に到達して透光部材３６に衝接すると、図１１（ｂ）に示すように、第１透光片６１および第２透光片６２との連結状態を維持しながら、遊技球が衝接した衝撃力により各透光片６１，６２がそれぞれ軸着した箇所（開口窓３４の各側縁部周辺）を中心にして収納部２４側に回動（可動）する。このとき発光体３７が点灯状態であれば、各発光体３７から遊技領域３へ照射される光を、互いの光軸を交差させるかのように動かして遊技中の装飾効果を向上させることができる。
【００３９】
また、衝接した遊技球は、回動した透光部材３６から反発力を受け難く、飛翔方向を大きく変えてしまうことがない。したがって、例えば、遊技者が遊技球を意図的に緩衝部材３３側の遊技領域３へ打ち込んで楽しもうとする際に遊技球がガイド面３２の途中で弾かれることがなく、遊技の興趣が減衰することを抑えることができる。さらに、遊技球から受ける衝撃を和らげて透光部材３６が損傷する不具合を防ぐことができる。そして、透光部材３６の表面を含むガイド面３２が不連続にならず、続けて複数の遊技球がガイド面３２に案内された場合に、先に飛翔する遊技球が衝接して透光部材３６が屈曲状態であっても、後続の遊技球がスムーズにガイド面３２から透光部材３６へ移動することができる。したがって、遊技者は、ガイド面３２に案内される遊技球の動きに不自然さを感じ難く、遊技の興趣を損ない難い。
【００４０】
そして、衝接した遊技球が透光部材３６から離れると、透光部材３６は、付勢部材５７から受ける付勢力により回動して元に戻り、遊技領域３側の表面をガイド面３２と略同一面上となる位置に再び配置する。したがって、別の遊技球が透光部材３６に衝接すれば、再び略同じ動きで、すなわち複数の光軸を交差させるように光を動かすことができる。このように、遊技球が衝接する度に光が動く方向が前後方向や左右方向、あるいは上下方向というようにランダムに変わることがなく、安定した装飾効果を得ることができる。
【００４１】
なお、上記したガイド面３２は、上側区画部材１５の上側区画壁２６の一部に形成したが、本発明はこれに限定されず、上側区画壁２６の遊技領域３側の表面全体に亘って形成してもよい。また、上記したレンズ部３９は、凸レンズにより構成されていたが、本発明はこれに限定されない。例えば、凹レンズでもよいし、ライン状のレンズや、四角錐状の突起（所謂ダイヤモンドカット）が表面に複数施された平面状のレンズであってもよい。
【００４２】
そして、上記した実施形態は、代表的な遊技機であるパチンコ遊技機を例にして説明したが、本発明はこれに限らず、遊技領域へ誘導された遊技球をガイド面で案内する遊技機であればどのような遊技機でもよい。例えば、内部に封入した遊技球を循環させる封入球式パチンコ機、アレンジボール式遊技機、雀球式遊技機等の遊技機であってもよい。
【００４３】
前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００４４】
【図１】遊技盤の正面図である。
【図２】上側区画部材の前方斜視図である。
【図３】カバー部材を外した状態の上側区画部材の後方斜視図である。
【図４】上側区画部材の分解斜視図である。
【図５】（ａ）はレンズ部を表裏両面に設けた透光部材の斜視図、（ｂ）はレンズ部を片面に設けた透光部材の斜視図である。
【図６】図２における上側区画部材のＡ−Ａ断面図である。
【図７】突出壁を備えた透光部材の説明図であり、（ａ）は上側区画部材に取り付けた状態の斜視図、（ｂ）は断面図、（ｃ）は上側区画部材に取り付けた状態の背面図である。
【図８】第２実施形態の上側区画部材の斜視図である。
【図９】図８における上側区画部材のＢ−Ｂ断面図であり、（ａ）は遊技球が衝接する箇所に透光部材を配置した状態図、（ｂ）は遊技球が衝接しない箇所に透光部材を配置した状態図である。
【図１０】第３実施形態の上側区画部材の背面図であり、（ａ）は遊技球が衝接していない常態図、（ｂ）は遊技球が衝接している状態図である。
【図１１】第３実施形態の変形例である上側区画部材の背面図であり、（ａ）は遊技球が衝接していない常態図、（ｂ）は遊技球が衝接している状態図である。
【符号の説明】
【００４５】
１  遊技盤
２  遊技盤本体
３  遊技領域
４  区画部材
１４  発射球案内ユニット
１５  上側区画部材
１６  下側区画部材
１７  ガイドレール
２４  収納部
２５  ベース部材
２６  上側区画壁
２７  発光ユニット
２８  カバー部材
３２  ガイド面
３３  緩衝部材
３４  開口窓
３６  透光部材
３７  発光体
３８  発光基板
３９  レンズ部
４０  透光部材保持部
４２  基板保持部
５１  突出壁
５３  ガイド溝
５５  軸着端部
５６  自由端部
５７  付勢部材
５８  回動規制部
６１  第１透光片
６２  第２透光片
６６  回動ストッパー
【図１】
2005348945.tif 000003
【図２】
2005348945.tif 000004
【図３】
2005348945.tif 000005
【図４】
2005348945.tif 000006
【図５】
2005348945.tif 000007
【図６】
2005348945.tif 000008
【図７】
2005348945.tif 000009
【図８】
2005348945.tif 000010
【図９】
2005348945.tif 000011
【図１０】
2005348945.tif 000012
【図１１】
2005348945.tif 000013